(57)【要約】      （修正有）【課題】設置場所にかかわらず非常事態発生時に発光して良好に視認されることが可能な機能を長期間にわたって維持可能であり、屋外設置時の降雨時、あるいは、スプリンクラー作動による散水があっても故障せずに機能を維持可能で、かつ、薄型で建物の壁面や扉に取り付けても意匠性を損なわない表示器を提供する。【解決手段】導光板とこれの上端に発光ダイオードと明度センサを備え、該導光板には拡散板と意匠板と保護板を備え、これらの外周を囲むように設けたフレーム体２の下部に水抜部を設ける。【選択図】図１
0003221412.tif 000002
【実用新案登録請求の範囲】
【請求項１】
導光板と、該導光板の上端に設けられた発光ダイオードと、該導光板に積層された拡散板とを備えた発光表示部と、
該発光表示部の外周を囲むように設けられたフレーム体とを備え、
該フレーム体の下部には水抜部が設けられている
ことを特徴とする、表示器。
【請求項２】
前記導光板の上端に明度センサを備えた
ことを特徴とする請求項１に記載の表示器。
【請求項３】
略直方体形状の電池収容部と、
該電池収容部の上端部に延出した延出部を備え、
該延出部は電池収納部よりも薄く設定され、
該延出部に請求項１または請求項２のいずれかに記載の表示器が取り付けられている
ことを特徴とする、電池一体型表示器。
【考案の詳細な説明】
【技術分野】
【０００１】
本考案は、表示器に関する。より詳しくは、防災用具や非常電話機、消火器等の設置場所を知らせるために建物の壁面や扉に取り付けて使用されるものに関する。
【背景技術】
【０００２】
火災時のような非常時に備えて、建物の内外に防災用具や非常電話機、消火器等を備えることが行われているが、これらの設置場所を明示するために建物の壁面や防災用具庫の扉などに表示器が取り付けられることが多い。また、非常事態発生時には停電が発生して明かりが不十分であることも想定されるので、このような表示器は発光して暗闇の中でも明瞭に視認可能とされていることが多い。
【０００３】
このような表示器の例として、特開２００６−３５０２７０号公報に開示された防災用蓄光表示板を挙げることができる。
【０００４】
この防災用蓄光表示板は、アルミニウム板表面にエッチング加工によって形成した凹溝内に白色ペイント層と蓄光剤層、ガラス膜層を形成して構成されており、これによって暗闇において凹溝部が自然発光するため、非常事態発生時に停電が発生して暗闇となっても明瞭に視認されることが可能とされている。
【０００５】
しかし、蓄光剤は経時劣化によって発行性能が衰えるため、非常事態発生時に機能を維持していないことが懸念される他、自然光や照明光を蓄光していなければ発光しないため、設置場所が不適切で常時蓄光に必要な照度が不足する場合や、あるいはたまたま物品で照明が遮られたりすると機能できない場合が発生し得るという懸念があった。
【０００６】
別の表示器の例として、特開２００１−２５０１７３号公報に開示された非常用表示装置を挙げることができる。
【０００７】
この非常用表示装置は、非常感知センサーと非常電源用バッテリーと照明灯、及び、文字板等を備えた非常用表示装置であって、非常事態発生時に停電が発生しても非常電源用バッテリーに駆動される照明灯が点灯することで良好に視認されることが可能とされている。
【０００８】
しかし、非常電源用バッテリー等を筐体内に備えるために厚みが大きく、建物の壁面や扉に取り付けた場合に意匠性を損なってしまうという課題がある。また、防水性を備えないために屋外設置をした場合の降雨時や、火災発生時のスプリンクラー作動による散水によって水が筐体内に侵入して機能に支障を生じる懸念があった。
【先行技術文献】
【特許文献】
【０００９】
【特許文献１】特開２００６−３５０２７０号公報
【特許文献２】特開２００１−２５０１７３号公報
【考案の概要】
【考案が解決しようとする課題】
【００１０】
本考案が解決しようとする課題は、設置場所にかかわらず非常事態発生時に発光して良好に視認可能な機能を長期間にわたって維持可能であり、屋外設置時の降雨時、あるいは、スプリンクラー作動による散水があっても故障せずに機能を維持可能で、かつ、薄型で建物の壁面や扉に取り付けても意匠性を損なわない表示器を提供することである。
【課題を解決するための手段】
【００１１】
（１）前記課題を解決するため、本考案においては、
導光板と、該導光板の上端に設けられた発光ダイオードと、該導光板に積層された拡散板とを備えた発光表示部と、
該発光表示部の外周を囲むように設けられたフレーム体とを備え、
該フレーム体の下部には水抜部が設けられている
ことを特徴とする、表示器としている。
【００１２】
導光板は厚み数ミリメートル程度の透明樹脂製の板状の部材であり、上端部に設けられた発光ダイオードの発する光が入射されると、これを内部で反射しつつ導光板全体に光を伝えて表面から取り出すことができるものであり、点光源である発光ダイオードによって疑似的な面光源を実現する。表示器は、防災用具や非常電話機、消火器等の所在を示すために用いられるので、これらを示す図形や文字を視認性良く表示できる必要があるが、導光板によって得られる疑似的な面発光はこのような面積を要する表示にとって都合が良い。
【００１３】
発光ダイオードは言うまでもなく光源であるが、白熱電球等の光源と比較すると極めて消費電力が低いため、電池駆動時の駆動時間を長くすることができるため、表示器の光源として都合が良い。ところで、発光ダイオードは、導光板の上端に沿って複数個設けることが発光のムラを抑制できる点で好ましい。具体的には、複数の発光ダイオード素子を樹脂テープ上に並べて配置したいわゆるテープＬＥＤや、あるいは、短冊状の回路基板上に複数の発光ダイオード素子を実装したものを、導光板の上端に貼付するなどして実現することができる。特に後者では回路基板上に発光ダイオード素子を駆動する電子回路を構成することが容易であるので特に好ましい。
【００１４】
また、回路基板上に発光ダイオード素子やこれを駆動する電気回路を構成した場合には、これらに耐水コーティングすることが好ましい。耐水コーティングは溶媒に溶解させた樹脂原料を回路基板にスプレー塗布したのちに乾燥させるなどすると強固な樹脂被膜が形成されて耐水性を発揮するもので、結露などが発生した場合であっても水に弱い電子部品を保護する働きをしてくれるからである。
【００１５】
導光板に積層する拡散板は、導光板内を伝わってきた光を拡散して発光面とするもので、典型的にはスリガラス様の外観を有する樹脂シートである。これによって表示器の表示面が発光し、非常事態発生時に停電が発生して暗闇となっても明瞭に視認可能となる。
【００１６】
ところで、表示器は防災用具や非常電話機、消火器等の所在を示すために用いられるため、表示器がこのような内容を表示している必要がある。このため、拡散板に文字や意匠を印刷してこれらが表示されるようにすることができ、あるいは、拡散板にさらに文字や意匠を印刷した意匠板を重ねて、これが背後から照明されるようにしてもよい。拡散板はその機能実現のために、必ずしも表面への印刷に適したものではないので、印刷に適した意匠板を用いることでより美しい表示を得やすくなるという効果が得られる。ところで、意匠板は拡散板からの発行を遮らないよう、透明性を有する材料で構成することが好ましいことは言うまでもない。
【００１７】
拡散板や意匠板は、そのスリガラス様の加工又は印刷面の存在により、汚れやすく、または水濡れに弱かったり傷がつきやすかったりする場合が多い。そこで、これらを保護するためにさらに保護板を重ねてもよい。保護板は透明で丈夫な素材からなることが好ましく、具体的にはアクリル樹脂やＰＥＴ樹脂、若しくはガラス製とすることができる。
【００１８】
ところで、上端に発光ダイオードを備えた導光板、拡散板、及び、必要に応じて意匠板や保護板を積層した発光表示部は、積層されたそのままの状態で以下に説明するフレーム体に取り付けてもよいが、より好ましくは樹脂粘着テープでその四辺を包むように貼付するとよい。発光表示部が一体に固定されて取り扱いが容易になるほか、結露水等が積層された各板の間に侵入することがなくなるので、侵入水が原因の表示乱れや、意匠板の印刷の滲みといった不具合を防止できるからである。
【００１９】
また、発光表示部の四辺を包むように樹脂粘着テープを貼付することに替えて、導光板、拡散板、及び、必要に応じて意匠板や保護板を相互にいわゆる両面テープで張り合わせることも本考案の好ましい構成の一つである。この場合、導光板等の表面に、外周に沿って２〜８ｍｍ程度の幅の両面テープを貼付して拡散板等を積層貼付していく構成とする。このようにすると、各板の外周に沿って両面テープの幅の領域での接着が行われるので、侵入水の発生をより確実に防止でき、また、各板どうしがより強固に接着されるので発光表示部の取り扱いがますます容易になるからである。
【００２０】
フレーム体は、樹脂製または金属製の枠体であって、発光表示部を周囲から包み込む額縁様の部材である。本考案における表示器は建物の壁面や扉に取り付けて使用可能なものであり、かつ、建物や扉の意匠性を損なわないことが好ましいため、フレーム体は裏面側からネジ等で取り付け可能とされている。一例としては、フレーム体の裏面に複数のネジ穴を設け、壁や扉の裏側からネジ止め可能とすることができるが、これに限らず任意の定法での取り付けが可能である。
【００２１】
また、表示器を裏面側から壁面等の取付面に取り付けた場合、フレーム体の裏側が取り付け面とほぼ密着するようにされることが好ましい。このようにすると、取り付けた表示器に降雨又はスプリンクラー等の散水によって水がかかった場合でも、水の表示器への侵入はフレーム体と取り付け面のわずかな隙間、または、フレーム体と保護板や意匠板、拡散板とのわずかな隙間に限られ、あくまでも穏やかな水の侵入であるから内部で水が飛散して導光板上端に取り付けられた発光ダイオードのような水濡れによって故障する部分が濡れてしまう懸念がなくなるからである。
【００２２】
また、フレーム体の下部には侵入した水が抜ける水抜部を設けている。フレーム体と取り付け面とのわずかな隙間やフレーム体と保護板等とのわずかな隙間からの水の侵入は緩慢ではあるが、これが内部に溜まってしまうとやがて水濡れによって故障する部分まで水没する結果に至りかねないが、フレーム体の下部に水抜部を設けて内部に侵入した水が排出されるようにすればこの危険もなくなるからである。なお、水抜部は典型的にはフレーム下部に設けた穴とすることができるが、必ずしも穴である必要はない。フレーム下部にスリットや窪みを設けるなど、表示器内部に侵入した水が外部に排出される流路となり得るものであれば目的は達成されるのであるから、合目的的である限り任意の構造とすることができる。
【００２３】
このようにすることで、複雑・高価な構造となりがちな完全な密閉構造でなくとも、降雨やスプリンクラー等の散水による水濡れに耐える表示器とすることができる。
【００２４】
なお、発光ダイオードへの電力供給は、表示器の裏面側からケーブル接続したバッテリボックスによって行うことが好ましい。表示器が長期間発光を維持できるよう、大容量の電池を搭載する必要があるので、バッテリボックスは大きなものとならざるを得ない。大型のバッテリボックスを表示器と一体とすると、表示器の厚みが大きくなって意匠性に悪影響を与えやすい。しかし、表示器本体とバッテリボックスを分離して、バッテリボックスを目立たない場所に設置できればこの問題は解決するからである。
【００２５】
なお、電池は定期的に交換を要する部品であるが、表示器を高所など保守の容易でない場所に取り付けた場合でも、バッテリボックスを分離する構成ではバッテリボックスは手の届く範囲に設置することも可能となり、保守性という観点でも優れている。
【００２６】
（２）前記課題を解決するため、本考案においては、
前記導光板の上端に明度センサを備えた
ことを特徴とする（１）に記載の表示器としている。
【００２７】
非常事態発生時の停電など暗闇の中でも明瞭に視認可能とするために、本考案に係る表示器は発光表示部が発光するのであるが、昼間で十分な自然光が得られる場合や、屋内や夜間でも平常時で十分な照明光が存在する環境下では表示器はそもそも容易に視認可能であるので発光表示部を明瞭に発行させることは電池の無駄である。そこで、明度センサーを加えて周囲が暗い場合に発光表示部を明瞭に発光させ、周囲が明るい場合には発光を停止する、または、発光を弱くして消費電力を抑制する制御を行うことが好ましい。明度センサの消費電力は発光ダイオードのそれと比較して極めて低いので、このようにすることで電池の寿命を大きく延長することができ、電池交換などの保守頻度を下げることができるからである。
【００２８】
なお、周囲が明るい場合であっても、発光表示部の発光を完全には停止せずに、発光していることが認識可能な程度の明るさで発光を維持することが好ましい。周囲が明るい際に発光を完全に停止していると、表示器の故障や電池切れが発生しても外観上は正常時と何ら違いがないために気づくことが困難であり、肝心の非常事態発生時に表示器が機能しないという危険があるところ、このようにすると故障や電池切れで表示器が発光できなくなった場合に表示器の様子が正常時と異なることを視覚を通じて認識できるため、異常に気づきやすくなるからである。
【００２９】
ところで、発光ダイオードは電流駆動デバイスであるので、発光強度の制御は典型的にはＰＷＭ制御とし、周囲明度が高まるにつれてＰＷＭ制御のデューティー比を減ずる制御とすればよいが、これに限られるものではなく、周囲明度が高い際に発光強度を下げて消費電力を減ずることができるのであれば、任意の回路・制御を利用可能である。
【００３０】
（３）前記課題を解決するため、本考案においては、
略直方体形状の電池収容部と、
該電池収容部の上端部に延出した延出部を備え、
該延出部は電池収納部よりも薄く設定され、
該延出部に（１）または（２）のいずれかに記載の表示器が取り付けられている
ことを特徴とする、電池一体型表示器としている。
【００３１】
表示器とバッテリボックスが別体とされて、この間がケーブル接続されていると、大きく厚みのあるバッテリボックスを考慮に入れずに表示器の設計が可能であり、薄型で意匠性の高い表示器を実現できることはすでに説明したとおりである。
【００３２】
しかし、建物の壁面や扉に穴をあけて表示器の裏面からケーブルで別の位置に設置したバッテリボックスに接続する形態を採用し難い場合もあるため、より容易に設置を行える電池一体型表示器の需要が存在する。しかしながら、表示器本体に電池を収納すると、あまりにも厚みが極めて大きくなってしまう。これでは、建物の壁面や扉に取り付けた際に大きく張り出してしまい、表示器自体の意匠性はもちろん、建物や扉の美観をも損ねてしまう。
【００３３】
そこで、大きく厚みのある電池収納部と表示器を重ねずに、電池収納部の上部に延出部を設け、これに表示器を取り付けることとした。延出部には厚みの大きな電池を内蔵していないので薄く作ることができ、これに表示器を取り付けても全体としての厚みは極端に大きくならない。また、電池収納部の厚みと、表示器の取り付けられた延出部部分全体の厚みをほぼ等しくすると、側面方向や正面方向から見た際に余分な凹凸のないシャープな印象が得られる。つまり、意匠性に優れた電池一体型表示器が得られることになる。
【考案の効果】
【００３４】
（１）本考案においては、発光ダイオードを上端に設けた導光板と、これに積層された拡散板とを備えた発光表示部を備えたので、低い消費電力で長期間にわたって発光表示部を発光させることができ、また、疑似的な面光源となるため、発光表示部に表示する図形や文字を良好に視認可能とすることができる。
【００３５】
また、発光ダイオード素子をいわゆるテープＬＥＤとして又は短冊状の回路基板上に実装して導光板の上端に複数個備えたので、ムラが少なく視認性に優れた発光表示部を備えた表示器が得られる。さらに、短冊状の回路基板上に発光ダイオード素子に加えて発光ダイオードの駆動回路を設けたので、小型で低価格な表示器とすることができる。
【００３６】
短冊状の回路基板上に発光ダイオード素子やこれの駆動回路を設けた場合には、これを耐水コーティングしたので、結露などが発生した場合にも水に弱い電子部品が保護され、故障し難い信頼性の高い表示器とすることができる。
【００３７】
拡散板に意匠板を積層したので、任意の図形や文字を意匠板に印刷することで様々な図形や文字を美しく表示可能な表示器とすることができる。
【００３８】
さらに、意匠板に保護板を積層したので、表面が汚れにくく傷がつきにくい表示器とすることができる。
【００３９】
発光ダイオードを上端に設けた導光板、拡散板、及び必要に応じて意匠板及び保護板を積層した発光表示部の四辺に、包むように樹脂粘着テープを貼付したので、水が各板間に侵入して表示が乱れたり意匠板の印刷がにじんだりする不具合が防止される。
【００４０】
発光ダイオードを上端に設けた導光板、拡散板、及び必要に応じて意匠板及び保護板を、それら各板の外周に沿って貼付した両面テープで接着したので、各板間への水の侵入をより確実に防止し、また、各板どうしがより強固に接着されて発光表示部の取り扱いがますます容易になる。
【００４１】
フレーム体によって発光表示部を囲み、裏面側から建物の壁面や扉などの取り付け面に取り付け可能としたので、建物の壁面や扉の意匠性を損ねずに美しい外観を維持できる表示器とすることができる。
【００４２】
また、取り付け面にフレーム体を取り付けた際に、フレーム体と取り付け面がほぼ密着するようにされており、かつ、フレーム体の下部に水抜部が設けられているので、降雨やスプリンクラー作動時にも発光ダイオードなどの水濡れに弱い部分が濡れてしまうことなく、問題なく機能を維持できる表示器とすることができる。
【００４３】
（２）本考案においては、導光板の上端に明度センサを備えたので、周囲が明るく表示器が発光する必要のない際に発光を停止し、または、発光強度を下げて消費電力を抑制することができる。これによって、電池の寿命を大きく延長することができ、電池交換などの保守頻度を下げることができるという効果が得られる。
【００４４】
また、周囲が明るい場合であっても、発光していることが認識可能な程度の明るさで発光を維持することとしたので、表示器の故障や電池切れが発生した場合に視覚を通じて異常に気付きやすくすることができるという効果が得られる。
【００４５】
（３）本考案においては、電池収容部に延出部を設けてここに表示器を取り付けた電池一体型表示器としたので、バッテリボックスが分離された表示器と比較して設置が容易であるという効果が得られる。
【００４６】
また、薄く作った延出部に表示器を取り付けたので、電池一体型表示器として全体の厚みは極端に大きくなく、さらに、電池収納部と表示器部分の厚みがほぼ一致するようにしたので側面方向や正面方向から見た際に余分な凹凸のないシャープな印象で意匠性に優れた電池一体型表示器が得られる。
【図面の簡単な説明】
【００４７】
【図１】本考案に係る表示器の一実施例を示す正面図である。
【図２】本考案に係る表示器の一実施例を示す側面図である。
【図３】本考案に係る表示器の一実施例の構造を示す断面図である。
【図４】本考案に係る表示器の別の実施例を示す正面図である。
【図５】本考案に係る表示器の別の実施例を示す側面図である。
【図６】本考案に使用される発光ダイオード基板を示す説明図である。
【考案を実施するための形態】
【００４８】
以下、本考案の実施例を図面を用いて説明する。
【実施例１】
【００４９】
図１乃至図３は本考案に係る表示器の一実施例を示す説明図である。図１は表示器の正面図、図２は同側面図、図３は図１中のＡ−Ａ’部断面図を示しており、これら図中の符号は共通である。また、図６に本考案に係る表示器内で使用する発光ダイオード基板の説明図を加えた。
【００５０】
表示器（１）は正面側に窓状の開口部が設けられたフレーム体（２）を筐体としている。フレーム体（２）の構成材料や加工方法は任意であるが、本実施例では熱可塑性樹脂を射出成型することで得た。フレーム体（２）の背面には取付ネジ穴（１１）が設けられており、建物の壁面や扉などの取付面（１３）に裏側から取付ネジ（１２）によってネジ止めして取り付けることとした。このようにすると表示器（１）の正面側に取付ネジ（１２）が現れず、すっきりとした外観が得られるからである。
【００５１】
表示器(1)の内部には、発光ダイオード基板（８）を上端に取り付けた導光板（４）と、これに順に積層した拡散板（５）、意匠板（６）、保護板（７）が備えられる。これらをまとめて発光表示部（３）と呼んでおり、発光表示部（３）の表面がフレーム体（２）の開口部から現れて表示器として機能する。
【００５２】
発光ダイオード基板（８）は、図６に現れているように細長い短冊形状のプリント配線板であって、本実施例では４つの発光ダイオード（１７）と１つの明度センサ（１８）、その他図示しない電子部品とともに電子回路を構成している。また、発光ダイオード基板（８）にはバッテリボックスと電源ケーブル（９）によって接続して電力を供給する外部電源コネクタ（１９）を設けている。バッテリボックスと発光ダイオード基板を電源ケーブルで接続して電力を供給すると、発光ダイオード基板は明度センサで周囲の明るさを検知し、周囲の明度が低い場合には発光ダイオードを明るく点灯し、周囲の明度が高くなるにしたがって発光ダイオードを暗くするよう制御する。これによってバッテリボックスに搭載される電池での長時間駆動を実現する。ただし、周囲の明度が十分に高い場合であっても、発光ダイオードを消灯してしまうことはなく視認可能な程度の明度で点灯を続けるようにされている。最低限の明るさで発光ダイオードが点灯していることにより、表示器が故障せずあるいは電池切れを起こすことなくに正常に動作していることを資格を通じて確認可能とするためである。
【００５３】
また、図には表れないが発光ダイオード基板（８）は表面を耐水コーティングしている。これにより、結露等が発生した場合でも発光ダイオード（１７）や明度センサ（１８）をはじめとする電子回路が保護され、容易には故障しない。
【００５４】
導光板（４）は、その上端に取り付けられた発光ダイオード基板（８）から照射された光を導光板（４）内で伝達してその表面側全体から放出する部材であり、本実施例では透明樹脂製の板でこのような機能を実現しているが、よりムラなく表面側全体から光が放出されるように工夫が施された市販品（たとえば光の放出面に細かいくぼみを多数設けるなどしたもの）が多く流通しており、これらを利用してもよい。
【００５５】
導光板（４）に拡散板（５）を積層しているが、これは導光板（４）から放出される光を拡散して面全体が発光しているように見えるようにするためのものである。薄い紙のようなものでも機能を実現できるが、本実施例では拡散板として高性能なスリガラス様の樹脂シートが多く市場に流通しているものを利用している。
【００５６】
表示器（１）は防災用具や非常電話、消火器などの所在地を表示するために使用されるので、図形や文字を表示しなければならないが、これらを拡散板（５）に直接印刷することで実現することもできる。しかし、拡散板（５）はやや厚みがあることや印刷インクでの印刷性を考慮したものではなく美しい印刷を得ることが容易でないので、本実施例では透明樹脂フィルムに図形や文字を印刷した意匠板（６）を拡散板（５）に積層した。意匠板（６）と呼んではいるが、本実施例における意匠板は１００μｍ〜２００μｍ程度の以上に薄いシート状の部品であるため、図では明瞭に表れずのちに説明する保護板（７）と一体として表示されている。図３中の６（７）の表示は、保護板（７）の奥側(図の右側）にごく薄い意匠板（６）が重なっていることを示しているものである。
【００５７】
導光板（４）や拡散板（５）、意匠板（６）は、表面に細かい凹凸が設けられていたり、印刷が行われていたりするため、汚れが付着しやすく水濡れに弱かったりするという弱点を有する。しかし、本表示器は屋外に設置される可能性もあり、屋内に設置された場合であってもスプリンクラー作動時の散水などで水濡れが発生することは十分に想定される。そこで、本実施例では透明で水濡れに強い樹脂フィルムを保護板（７）として意匠板（６）にさらに積層した。保護板（７）は滑らかで丈夫なＰＥＴフィルムなどで構成するため、これによって意匠板（６）などは保護される。
【００５８】
発光ダイオード基板（８）を上端に取り付けた導光板（４）と、拡散板（５）、意匠板（６）、保護板（７）を積層した発光表示部（３）の四辺を覆うように樹脂粘着テープを貼付してもよい。このようにすると発光表示部（３）を構成する各板が一体に固定されて取り扱いが容易であるし、結露水などが各板間に侵入することがなくなるので、これに起因する不具合が防止されるからである。
【００５９】
また、発光表示部（３）の四辺を覆うように樹脂粘着テープを貼付することに替えて、導光板（４）と、拡散板（５）、意匠板（６）、保護板（７）の間をそれぞれの板の外周に沿って２〜８ｍｍ程度の幅の両面テープによって接着してもよい。両面テープの幅の領域での接着が行われるため、結露水などの侵入をより確実に防止でき、また、発光表示部（３）が強固に一体化してますます取り扱いが容易になるからである。
【００６０】
さて、建物の壁面や扉などの取り付け面（１３）に表示器を取り付けた場合、図３に現れるようにフレーム体（２）の背面側は取り付け面（１３）にほぼ密着する。また、フレーム体（２）と発光表示部（３）もほぼ密着している。このため、降雨やスプリンクラー作動による散水によって表示器（１）に水がかかったとしても、水の表示器への内部への水の浸入はこれらほぼ密着している部分のわずかの隙間からの進入に限られるため、ごく緩慢である。従って、この進入水は表示器内部で水滴となって飛散することは決して発生せず、表示器（１）の下部へゆっくりと流れ落ちる。表示器（１）の下部に到達した水は水抜部（１０）から表示器外部へ流れ出ることになる。表示器（１）内の水濡れに弱い部品は発光ダイオード基板（８）であるが、これは導光板（４）の上端に取り付けられているため、進入水にさらされることはない。
【００６１】
ところで、本実施例に係る表示器では発光ダイオード基板（８）にコネクタを介して電源ケーブル（９）が接続される。電源ケーブル（９）は取付面（１３）に設けた穴を介して図示しないバッテリボックス等の電源供給手段に接続される。電源供給手段から電源ケーブル（９）を介して要求される電力により、表示器（１）の発光ダイオード（１７）が点灯するなどの動作が行われる。
【実施例２】
【００６２】
図４及び図５は本考案に係る電池一体型表示器の別の実施例を示す説明図である。図４は電池一体型表示器の正面図、図５は同側面図である。また、これら図中の符号は実施例１のものと共通である。
【００６３】
本実施例は、表示器とバッテリボックスが一体になった電池一体型表示器としたものである。電池一体型表示器（１４）は、バッテリボックスの電池収納部（１６）の上端部に延出部（１５）が設けられ、ここに表示器（１）を取り付けた構造としている。表示器（１）としては実施例１に係るものをそのまま使用している。
【００６４】
さて、バッテリボックスの電池収納部（１６）は内部に電池を収納するために厚みが大きくなっている。電池一体型表示器（１４）は、電池で長期間の連続駆動ができることが求められるため大容量の電池が必要であり、嵩張る大容量の電池が必要だからである。これに対し、延出部（１５）は電池と表示器を接続する電源ケーブルなどが収められるもののこれらはさほど大きくないものであるので、延出部（１５）は電池収納部（１６）と比較すると相当に薄くすることができる。本実施例では、延出部（１５）の厚みは電池収納部（１６）の厚みよりも表示器（１）の厚さだけ薄く設定した。これにより、表示器（１）の表面までの高さと電池収納部（１６）の表面までの高さが一致し、電池一体型表示器として一体感のある優れた意匠とすることができるからである。また、表示器（１）の表面までの高さが電池収納部（１６）の表面までの高さよりも低いと、電池一体型表示器を建物の壁面や扉などの取り付け面に取り付けた際に、電池収納部（１６）の陰に隠れて表示器（１）が見づらくなるなどの不具合が発生するが、これらの高さをほぼ同一とすることでこのような問題の発生を防止できる。
【産業上の利用可能性】
【００６５】
本考案は、設置場所にかかわらず非常事態発生時に発光して良好に視認されることが可能な機能を長期間にわたって維持可能であり、屋外設置時の降雨時、あるいは、スプリンクラー作動による散水があっても故障せずに機能を維持可能で、かつ、薄型で建物の壁面や扉に取り付けても意匠性を損なわない表示器を提供するものであり、産業上の価値は頗る高いものである。
【符号の説明】
【００６６】
１    表示器
２    フレーム体
３    発光表示部
４    導光板
５    拡散板
６    意匠板
７    保護板
８    発光ダイオード基板
９    電源ケーブル
１０  水抜部
１１  取付ネジ穴
１２  取付ネジ
１３  取付面
１４  電池一体型表示器
１５  延出部
１６  電池収納部
１７  発光ダイオード
１８  明度センサ
１９  外部電源コネクタ
【図１】
0003221412.tif 000003
【図２】
0003221412.tif 000004
【図３】
0003221412.tif 000005
【図４】
0003221412.tif 000006
【図５】
0003221412.tif 000007
【図６】
0003221412.tif 000008